(57)【要約】【課題】光ファイバの切断作業にかかる手間を小さくすることができる光ファイバカッタを提供する。【解決手段】光ファイバカッタ１は、ファイバホルダから延出する光ファイバをクランプし、光ファイバの延在方向に沿って前進位置と後退位置との間でベース部材１０に対して移動可能な移動部材２０と、後退位置にある移動部材２０を付勢するスプリング５０と、移動部材２０前方への移動を規制するロック部材と、光ファイバに初期傷を形成可能な刃体４５を支持し、光ファイバの延在方向に交差する方向に移動されることで、刃体４５によって光ファイバの初期傷形成位置に初期傷を形成させるカッタ支持体４１と、刃体４５が初期傷形成位置に到達する前に、ロック部材による移動部材２０の前方への移動の規制を解除するロック解除部材と、を備える。【選択図】図２
2018084660.tif 000002
【特許請求の範囲】
【請求項１】
延出状態でファイバホルダに保持された光ファイバを切断する光ファイバカッタであって、
ベース部材と、
前記ファイバホルダから延出する前記光ファイバをクランプし、前記光ファイバの延在方向に沿って前進位置と後退位置との間で前記ベース部材に対して移動可能な移動部材と、
前記後退位置にある前記移動部材を前方に付勢する付勢部材と、
前記後退位置にある前記移動部材の前方への移動を規制するロック部材と、
前記光ファイバに初期傷を形成可能な刃体を支持し、前記光ファイバの延在方向に交差する方向に移動されることで、前記刃体によって前記光ファイバにおける前記ファイバホルダと前記移動部材との間の初期傷形成位置に前記初期傷を形成させるカッタ支持体と、
前記カッタ支持体を移動させた際、前記刃体が前記初期傷形成位置に到達する前に、前記ロック部材による前記移動部材の前方への移動の規制を解除するロック解除部材と、を有する光ファイバカッタ。
【請求項２】
前記移動部材が前記後退位置よりも前方にあるときに、前記光ファイバに対する前記刃体の当接を抑制するストッパを有する請求項１に記載の光ファイバカッタ。
【請求項３】
前記ストッパが前記移動部材の移動に伴って移動可能とされている請求項２に記載の光ファイバカッタ。
【請求項４】
前記カッタ支持体は、前記光ファイバの延出方向に沿った軸周りに回動可能とされている請求項１〜３のうちのいずれか１項に記載の光ファイバカッタ。
【請求項５】
前記ロック部材は、前記ベース部材に設けられた第１係止部と、前記移動部材に設けられた第２係止部と、を備え、前記第１係止部と前記第２係止部とが係止して前記移動部材の前方への移動を規制し、
前記ロック解除部材は、前記カッタ支持体の移動に伴って前記第１係止部及び前記第２係止部のうちの少なくとも一方を押圧して前記第１係止部と前記第２係止部との係止を解除する請求項１〜４のうちのいずれか１項に記載の光ファイバカッタ。
【請求項６】
前記刃体が前記光ファイバに当接する際の高さ位置を規制する高さ位置規制部が形成されている請求項１〜５のうちのいずれか１項に記載の光ファイバカッタ。
【発明の詳細な説明】
【技術分野】
【０００１】
本開示は、光ファイバカッタに関する。
【背景技術】
【０００２】
例えば、光ファイバを切断するにあたり、光ファイバに張力を加えた状態で初期傷をつけ、光ファイバに加えた張力によって初期傷を成長させて劈開によって切断するファイバカッタがある（例えば、特許文献１参照）。このファイバカッタでは、第１光ファイバホルダと第２光ファイバホルダの間に張力を加えた状態で光ファイバを第１光ファイバホルダと第２光ファイバホルダによって光ファイバを保持する。続いて、第１光ファイバホルダと第２光ファイバホルダの間に初期傷をつける。すると、光ファイバを第１光ファイバホルダと第２光ファイバホルダの間に張力によって初期傷が成長し、劈開によって光ファイバを切断するものである。
【先行技術文献】
【特許文献】
【０００３】
【特許文献１】特開２０１４−２３８５７４号公報
【発明の概要】
【発明が解決しようとする課題】
【０００４】
上述した従来のファイバカッタでは、光ファイバを切断するための作業として、第１光ファイバホルダ及び第２光ファイバホルダで光ファイバを保持し、光ファイバに張力を付与し（張力付与機構の操作等）、カッタを移動させて光ファイバに初期傷を付けるという作業を要する。このため、光ファイバを切断するための作業が煩雑であり、手順を間違える可能性もあった。
【０００５】
本発明の幾つかの実施形態が解決しようとする課題は、作業の手順を間違えることなく光ファイバを切断することができる光ファイバカッタを提供することである。
【課題を解決するための手段】
【０００６】
本発明の幾つかの実施形態に係る光ファイバカッタは、延出状態でファイバホルダに保持された光ファイバを切断する光ファイバカッタであって、ベース部材と、前記ファイバホルダから延出する前記光ファイバをクランプし、前記光ファイバの延在方向に沿って前進位置と後退位置との間で前記ベース部材に対して移動可能な移動部材と、前記後退位置にある前記移動部材を前方に付勢する付勢部材と、前記後退位置にある前記移動部材の前方への移動を規制するロック部材と、前記光ファイバに初期傷を形成可能な刃体を支持し、前記光ファイバの延在方向に交差する方向に移動されることで、前記刃体によって前記光ファイバにおける前記ファイバホルダと前記移動部材との間の初期傷形成位置に前記初期傷を形成させるカッタ支持体と、前記カッタ支持体を移動させた際、前記刃体が前記初期傷形成位置に到達する前に、前記ロック部材による前記移動部材の前方への移動の規制を解除するロック解除部材と、を有する。
【０００７】
上記の構成によれば、カッタ支持体を移動させた際、刃体が初期傷形成位置に到達する前に、前記移動部材の前方への移動の規制を解除するロック解除部材が設けられている。このため、カッタ支持体を移動させると、まずロック部材によるロックが解除されて、光ファイバに張力が付与され、続いて刃体が光ファイバに当接する。したがって、光ファイバを切断するまでの作業を簡単にすることができ、作業の手順を間違えることなく光ファイバを切断することができる。
【０００８】
また、前記移動部材が前記後退位置よりも前方にあるときに、前記光ファイバに対する前記刃体の当接を抑制するストッパを有していてもよい。
【０００９】
上記の構成によれば、移動部材が後退位置よりも前方にあるときに、光ファイバに対する刃体の当接が抑制される。このため、光ファイバに張力が加えられていない状態での初期傷の形成を抑制することができる。
【００１０】
また、前記ストッパが前記移動部材の移動に伴って移動可能とされていてもよい。
【００１１】
上記の構成によれば、移動部材を後退位置よりも前方に配置することで、ストッパを作動させることができる。
【００１２】
また、前記カッタ支持体は、前記光ファイバの延出方向に沿った軸周りに回動可能とされていてもよい。
【００１３】
上記の構成によれば、刃体の使用可能期間の長期化に寄与することができる。
【００１４】
また、前記ロック部材は、前記ベース部材に設けられた第１係止部と、前記ファイバホルダに設けられた第２係止部と、を備え、前記第１係止部と前記第２係止部とが係止して前記移動部材前方への移動を規制し、前記ロック解除部材は、前記カッタ支持体の移動に伴って前記第１係止部及び前記第２係止部のうちの少なくとも一方を押圧して前記第１係止部と前記第２係止部との係止を解除してもよい。
【００１５】
上記の構成によれば、簡素な動作でロック部材の解除動作を省くことができる。
【００１６】
また、前記刃体が前記光ファイバに当接する際の高さ位置を規制する高さ位置規制部が形成されていてもよい。
【００１７】
上記の構成によれば、光ファイバに初期傷を付ける際の刃体と光ファイバとの距離を好適な距離とすることができる。
【発明の効果】
【００１８】
本発明の幾つかの実施形態に係る光ファイバカッタによれば、作業の手順を間違えることなく光ファイバを切断することができる。
【図面の簡単な説明】
【００１９】
【図１】本発明の幾つかの実施形態に係る光ファイバカッタの斜視図である。
【図２】本発明の幾つかの実施形態に係る光ファイバカッタの分解斜視図である。
【図３】本発明の幾つかの実施形態に係る光ファイバカッタの背面図である。
【図４】ベース部材の上面図である。
【図５】ベース部材の下面図である。
【図６】（Ａ）は移動部材を上方から見た斜視図、（Ｂ）は移動部材を下方から見た斜視図である。
【図７】（Ａ）はロック部材近傍の拡大分解斜視図、（Ｂ）はロック部材近傍の側面図である。
【図８】光ファイバを切断する工程を簡略化して説明する説明図である。
【図９】ロック部材を解除する工程を簡略化して示す説明図である。
【発明を実施するための形態】
【００２０】
次に、本発明の幾つかの実施形態に係る実施形態を図面に基づいて説明する。
図１は、本発明の幾つかの実施形態に係る光ファイバカッタの斜視図、図２は、その分解斜視図、図３は、その背面図である。なお、以下の説明では、発明を理解し易くするために、適宜構成部品の一部を省略したり、形状を単純化したり、縮尺を変更したりする等、図示を簡略化していることがある。また、ＸＹＺ直交座標系を設定して各構成の位置関係を説明する。また、ＸＹＺ直交座標系において、Ｘ方向を前後方向、Ｙ方向を左右方向、Ｚ方向を上下方向として説明する。また、＋Ｘ側を前側、−Ｘ側を後側、＋Ｙ側を左側、−Ｙ側を右側、＋Ｚ側を上側、−Ｘ側を下側として説明する。なお、光ファイバの延出方向は、Ｘ軸に沿った方向となる。
【００２１】
図１〜図３に示すように、本発明の幾つかの実施形態に係る光ファイバカッタ１は、ベース部材１０と、移動部材２０を備えている。移動部材２０は、スライダ本体２０Ａと、スライダ蓋部２０Ｂとを備えている。図２に示すように、スライダ蓋部２０Ｂには、光ファイバ保持部材３４が取り付けられている。
【００２２】
また、移動部材２０の後方には初期傷形成部材４０が設けられており、初期傷形成部材４０には刃体４５が取り付けられている。さらに、移動部材２０の後端部とベース部材１０との間に、付勢部材であるスプリング５０が配設されている。ベース部材１０における初期傷形成部材４０の後方において、光ファイバ２を保持するファイバホルダ７０がベース部材１０に載置されている。なお、図２及び図３においては、ファイバホルダ７０の図示を省略している。
【００２３】
スライダ蓋部２０Ｂは、図１に仮想線で示すように、光ファイバ２をクランプするクランプ状態と、図１に実線で示すように、光ファイバ２のクランプを解除した非クランプ状態とになることがある。スライダ蓋部２０Ｂがクランプ状態となると、スライダ本体２０Ａとスライダ蓋部２０Ｂによって光ファイバ２をクランプする。初期傷形成部材４０は、図１に仮想線で示すように、初期傷形成部材４０に設けられた刃体４５が光ファイバ２に初期傷を形成する初期傷形成位置に到達している作用位置と、図１に実線で示すように、作用位置以外の非作用位置に位置することがある。刃体４５は、光ファイバ２におけるファイバホルダ７０と移動部材２０との間に初期傷を形成可能である。
【００２４】
移動部材２０は、前進位置と後退位置との間でベース部材１０に対して前後方向に移動可能とされている。スライダ蓋部２０Ｂは、移動部材２０の左端部に取り付けられており、移動部材２０の移動方向に沿った軸周りに回動可能とされている。初期傷形成部材４０は、ベース部材１０の左端部に取り付けられており、移動部材２０の移動方向に沿った軸周りに回動可能とされている。
【００２５】
次に、ベース部材について説明する。図４はベース部材の上面図、図５はベース部材の下面図である。図４及び図５に示すように、ベース部材１０は、平面視した形状が全体として略矩形をなすベース部材本体１１を備えている。ベース部材本体１１における前後方向略中央部には、スライダ搭載部１３が形成されている。スライダ搭載部１３は、ベース部材本体１１を上下方向に貫通する貫通部１３Ａと、図４に示すように、ベース部材本体１１の下面側に形成され、下側から見たときに貫通部１３Ａよりも一回り大きい凹部１３Ｂと、によって構成されている。また、スライダ搭載部１３における後部の内壁の下面側には、スプリング５０に反力を付与する反力壁１３Ｃが形成されている。
【００２６】
ベース部材本体１１におけるスライダ搭載部１３の後方の左側端部には、カッタ支持体支持部１４が形成されている。カッタ支持体支持部１４は、ベース部材本体１１よりも左側に突出した位置において、左右方向に延びる一対のブラケット１４Ａ，１４Ｂを備えている。ブラケット１４Ａ，１４Ｂの間には、カッタ軸部材１４Ｃが架け渡されている。カッタ軸部材１４Ｃは、左右方向（光ファイバの延在方向）に沿って配置されている。このカッタ軸部材１４Ｃに初期傷形成部材４０が回動可能に取り付けられている。
【００２７】
また、ベース部材本体１１におけるカッタ支持体支持部１４が設けられた位置の右側方には、第１係止部１５が形成されている。第１係止部１５は、支持板１５Ａと、支持板１５Ａの先端に設けられた第１係止爪１５Ｂ及びロック解除用受側突起１５Ｃと、を備えている。
【００２８】
支持板１５Ａは、基端部がベース部材本体１１から前方へ突出する弾性変形可能な板状体である。図示例の支持板１５Ａはプラスチック製のベース部材本体１１に一体に形成されている。但し、支持板１５Ａはベース部材本体１１に固定したベース部材本体１１とは別体の部材であっても良い。第１係止爪１５Ｂは、支持板１５Ａの先端における上面に設けられている。第１係止爪１５Ｂは、側面視した形状が略三角形状を成しており、上下方向に沿った後面部と、後面部の前側に形成された傾斜部とを備えて構成されている。
【００２９】
ロック解除用受側突起１５Ｃは、第１係止爪１５Ｂにおける幅方向（左右方向）略中央位置に配置され、上下方向において第１係止爪１５Ｂよりも高い位置まで延在する棒状の部材である。ロック解除用受側突起１５Ｃが上方から押圧されることにより、支持板１５Ａが、ベース部材本体１１に固定された基端部を基点として撓むようにされている。第１係止部１５は、ベース部材本体１１に設けられており、ファイバホルダ７０はベース部材本体１１におけるファイバホルダ設置部１９に設置されることから、第１係止部１５は、ファイバホルダ７０に対して相対移動不能とされている。
【００３０】
ベース部材本体１１における第１係止部１５が形成された位置の右側方には、光ファイバ位置決め部材１６が形成されている。図２に示すように、光ファイバ位置決め部材１６は、ベース部材本体１１に対して上下方向に沿って立設された板状体１６Ａを備えている。板状体１６Ａには、Ｖ溝１６Ｂが形成されている。光ファイバ２を切断する際には、Ｖ溝１６Ｂの底部に光ファイバ２が収められることによって、光ファイバ２が位置決めされる。
【００３１】
光ファイバ位置決め部材１６の右側には、カッタ支持体受部１８が設けられている。カッタ支持体受部１８は、ベース部材本体１１の右端部に設けられており、一対の柱状体を備えて構成されている。カッタ支持体受部１８によって作動位置に近い位置にある初期傷形成部材４０の移動を案内している。
【００３２】
光ファイバ位置決め部材１６の後方にはファイバホルダ設置部１９が形成されている。ファイバホルダ設置部１９は、図１に示す光ファイバ２を保持するファイバホルダ７０を設置可能とされた凹部である。ファイバホルダ７０は、ファイバホルダ設置部１９に設置されることで、ベース部材本体１１に対して位置決めされて載置される。
【００３３】
次に、移動部材２０のスライダ本体２０Ａついて説明する。移動部材２０のスライダ本体２０Ａは、ベース部材本体１１に形成されたスライダ搭載部１３に搭載されている。ベース部材本体１１に形成されたスライダ搭載部１３における貫通部１３Ａの前後方向の長さは、スライダ本体２０Ａの前後方向の長さよりも長い。このため、スライダ本体２０Ａは、ベース部材本体１１の貫通部１３Ａにおいて、前進位置及び後退位置の間でスライド移動可能とされている。ベース部材１０のスライダ搭載部１３は、スライダ本体２０Ａを前後方向にスライド移動自在に案内するガイド部の役割を果たす。移動部材２０は、その全体が、ベース部材１０に対するスライダ本体２０Ａの前後方向へのスライド移動に伴いベース部材１０に対して前後方向に移動する。
【００３４】
図６（Ａ）は移動部材を上方から見た斜視図、（Ｂ）は移動部材を下方から見た斜視図である。移動部材２０におけるスライダ本体２０Ａは、図６にも示すように、平面視した形状が略矩形のスライダ基台２１を備えている。スライダ基台２１の上面側における左側端部には、クランパ支持部２２が形成されている。クランパ支持部２２は、スライダ基台２１の左端部を切り欠いた凹部２２Ａと、凹部２２Ａにおける前壁と後壁をつなぐクランパ軸部材２２Ｂとによって構成されている。クランパ軸部材２２Ｂは、前後方向（光ファイバの延在方向）に沿って配置されている。このクランパ軸部材２２Ｂにスライダ蓋部２０Ｂが回動可能に取り付けられている。
【００３５】
クランパ支持部２２の右側方には、光ファイバ載置溝２４が形成されている。光ファイバ載置溝２４は、スライダ基台２１の上面において前後方向に沿って形成された溝である。光ファイバ載置溝２４は、切断の対象となる光ファイバ２を載置するための溝であり、断面形状が略Ｖ字形状とされている。
【００３６】
光ファイバ載置溝２４の右側には、クランパ受部２５が形成されている。クランパ受部２５は、スライダ基台２１の右端部に形成されている。クランパ受部２５は、クランパ受凹部と、クランパ受凹部における右外側壁に形成された係止板によって構成されている。係止板は、クランパ受部２５における右側の内側面から内側方向に突出して形成された板状の部材である。この係止板によってスライダ蓋部２０Ｂの端部が保持されてスライダ蓋部２０Ｂが固定される。
【００３７】
スライダ基台２１の下面側には、図６（Ｂ）に示すように、係合部材２６Ａ〜２６Ｄが設けられている。係合部材２６Ａ〜２６Ｄは、上下方向に延在し弾性を有する支持部と、支持部の下端部に取り付けられた係合部とを備えて構成されており、ベース部材本体１１の下面側に形成された凹部１３Ｂと係合する。
【００３８】
係合部材２６Ａ〜２６Ｄにおける支持部の上端は、スライダ基台２１に一体的に取り付けられている。係合部材２６Ａ〜２６Ｄにおける係合部は、支持部から外側方向に向けて突出して形成されており、この突出した部分とベース部材の下面側に形成された凹部１３Ｂとが係合する。移動部材２０が移動する際には、スライダ基台２１に設けられた係合部材２６Ａ〜２６Ｄがベース部材本体１１に形成された凹部１３Ｂに沿って移動することにより、移動部材２０が前後方向に沿って移動する。
【００３９】
スライダ基台２１における後面には、第２係止部２７が設けられている。第２係止部２７は、支持ブロック２７Ａ及び支持ブロック２７Ａの下面に形成された第２係止爪２７Ｂを備えている。スライダ基台２１がベース部材本体１１に組み付けられた状態で、支持ブロック２７Ａの下面は、支持板１５Ａの上面と略同じ高さ位置に配置される。
【００４０】
支持ブロック２７Ａは、基端部がスライダ基台２１から後方へ突出する前後方向に沿って長いブロック体である。第２係止爪２７Ｂは、支持ブロック２７Ａの下面に設けられている。第２係止爪２７Ｂは、側面視した形状が略三角形状を成しており、上下方向に沿った前面部と、前面部の後側に形成された傾斜部とを備えて構成されている。
【００４１】
支持ブロック２７Ａにおける幅方向（左右方向）中央位置には、貫通孔２７Ｃが形成されている。貫通孔２７Ｃは、支持ブロック２７Ａを上下方向に貫通している。貫通孔２７Ｃは、前後方向に沿って長く形成されており、支持ブロック２７Ａの下面における貫通孔２７Ｃの左右両側にそれぞれ第２係止爪２７Ｂが設けられている。また、貫通孔２７Ｃには、第１係止部１５におけるロック解除用受側突起１５Ｃが下側から挿入されている。ロック解除用受側突起１５Ｃの高さ位置は、支持ブロック２７Ａの上面の高さ位置と略同じとされている。
【００４２】
図７（Ａ）はロック部材近傍の拡大分解斜視図、（Ｂ）はロック部材近傍の側面図である。図７（Ａ）に示すように、第２係止爪２７Ｂは、第１係止爪１５Ｂに対して係止可能となる位置に配置されている。移動部材２０が前進位置にあるときには、図７（Ｂ）に仮想線で示すように、第２係止爪２７Ｂが第１係止爪１５Ｂよりも前方に配置されており、第１係止爪１５Ｂと第２係止爪２７Ｂとは係止されておらず、移動部材２０はロック解除状態となっている。また、移動部材２０が後退位置にあるときには、図７（Ｂ）に実線で示すように、第２係止爪２７Ｂが第１係止爪１５Ｂよりも後方に配置されており、第１係止爪１５Ｂと第２係止爪２７Ｂとが係止されて、移動部材２０はロックされて前方への移動が規制された状態であるロック状態となっている。
【００４３】
第２係止部２７の後端部には、ストッパ２８が設けられている。ストッパ２８は、支持ブロック２７Ａの後端部において、上方に向けて突出する突起状に形成されている。ストッパ２８は、移動部材２０が後退位置よりも前方に配置されているときの初期傷形成部材４０の回動を規制し、光ファイバ２に対する刃体４５の当接を抑制している。ストッパ２８は、移動部材２０に設けられていることから、移動部材２０の移動に伴って移動可能とされている。
【００４４】
図６に示すように、スライダ基台２１の後面部における左右方向略中央部には、スプリング収容孔２９が形成されている。スプリング収容孔２９は、断面円形状の凹部であり、ベース部材１０に移動部材２０を組み付けたときに、スプリング収容孔２９がベース部材１０における反力壁１３Ｃと向き合う位置に配置されている。スプリング収容孔２９には、スプリング５０が収容されている。
【００４５】
図１に示すように、移動部材２０は、スライダ本体２０Ａのほかにスライダ蓋部２０Ｂを備えている。スライダ蓋部２０Ｂは、図１及び図２に示すように、長尺状のクランパ本体３１を備えている。クランパ本体３１は、クランプ状態で左右方向に沿って配設されている。クランプ状態のクランパ本体３１における左端部には、クランパ把持部３２が設けられている。クランパ把持部３２は、移動部材２０におけるクランパ軸部材２２Ｂを把持している。クランパ把持部３２がクランパ軸部材２２Ｂを把持することにより、クランパ本体３１がスライダ基台２１に対してクランパ軸部材２２Ｂ周りに回動可能とされている。クランパ本体３１がクランパ軸部材２２Ｂ周りに回動することで、スライダ蓋部２０Ｂがクランプ状態と非クランプ状態とに変化する。
【００４６】
クランパ本体３１における長手方向略中央位置には、保持部材収容凹部３３が形成されており、保持部材収容凹部３３には、光ファイバ保持部材３４が収容されている。光ファイバ保持部材３４は、ケース３４Ａを備えており、ケース３４Ａの下面側に保持部材本体３４Ｂが取り付けられている。また、ケース３４Ａには、押付スプリング３４Ｃが収容されている。
【００４７】
ケース３４Ａは、係止爪を備えており、クランパ本体３１における保持部材収容凹部３３の上面側に形成された係止孔に係止爪を係止することにより、光ファイバ保持部材３４がクランパ本体３１に取り付けられる。保持部材本体３４Ｂは、弾力性を有する部材、例えばゴムによって形成されており、スライダ本体２０Ａとスライダ蓋部２０Ｂによって光ファイバ２をクランプする際に、光ファイバ２に当接する部材である。押付スプリング３４Ｃは、圧縮スプリングであり、保持部材本体３４Ｂをクランパ本体３１の上面から離反する方向に付勢している。
【００４８】
クランプ状態のクランパ本体３１における右端部には、クランパ固定部材３５が設けられている。クランパ固定部材３５は、つまみ部３５Ａと係止部３５Ｂとを備えて構成されている。つまみ部３５Ａは、Ｘ軸に沿った軸を中心として板状体を折り返した形状をなしており、内側片と外側片との間における折り返し部分が弾性を有している。また、外側片の外側面に係止部３５Ｂが設けられている。
【００４９】
クランパ固定部材３５は、スライダ基台２１に形成されたクランパ受部２５のクランパ受凹部に収容可能とされている。クランパ固定部材３５がクランパ受凹部に収容されると、つまみ部３５Ａの内側片と外側片とが折り返し部の弾力によって離反する。つまみ部３５Ａの内側片と外側片とが離反すると、クランパ固定部材３５の係止部３５Ｂがクランパ受部２５の係止板に係止された係止状態となり、スライダ蓋部２０Ｂが固定され、スライダ蓋部２０Ｂは、光ファイバ２をクランプするクランプ状態となる。
【００５０】
また、つまみ部３５Ａを作業員等がつまむことにより、つまみ部３５Ａの内側片と外側片とが近接し、クランパ固定部材３５の係止部３５Ｂとクランパ受部２５の係止板との係止状態が解除される。このとき、つまみ部３５Ａをつまんだまま引き上げることにより、クランパ本体３１が回動して、スライダ蓋部２０Ｂのクランプ状態が解除されてスライダ蓋部２０Ｂは非クランプ状態となる。
【００５１】
図１に示すように、ベース部材本体１１におけるスライダ搭載部１３の後方には、初期傷形成部材４０が取り付けられている。初期傷形成部材４０は、図１〜図３に示すように、長尺状のカッタ支持体４１を備えている。カッタ支持体４１は、作動位置にある状態で左右方向に沿って配設されている。
【００５２】
作動位置のカッタ支持体４１における左端部には、カッタ部材把持部４２が設けられている。カッタ部材把持部４２は、ベース部材本体１１に設けられたカッタ支持体支持部１４におけるカッタ軸部材１４Ｃを把持している。カッタ部材把持部４２がカッタ軸部材１４Ｃを把持することにより、カッタ支持体４１がベース部材本体１１にしてカッタ軸部材１４Ｃ周りに回動可能とされている。このため、カッタ支持体４１に取り付けられた刃体４５は、光ファイバ２の延在方向（前後方向）に交差する方向、例えば直交する面に沿った方向に移動可能とされている。
【００５３】
カッタ支持体４１には、ロック解除用突起４３が設けられている。ロック解除用突起４３は、支持ブロック２７Ａに形成された貫通孔２７Ｃの形状を一回り小さくした形状とされている。移動部材２０が後退位置に配置されているときには、ロック解除用突起４３が貫通孔２７Ｃに進入可能とされている。また、移動部材２０が後退位置設けられたに配置されているときには、ロック解除用突起４３は、ストッパ２８と当接して貫通孔２７Ｃには進入不能とされている。
【００５４】
ロック解除用突起４３は、支持ブロック２７Ａの貫通孔２７Ｃに対して上側から進入可能とされている。ロック解除用突起４３は、支持ブロック２７Ａの貫通孔２７Ｃに進入すると、ロック解除用受側突起１５Ｃを上方から押圧し、第１係止爪１５Ｂと第２係止爪２７Ｂによるロック状態を解除する。ロック解除用受側突起１５Ｃとロック解除用突起４３とによって、ロック解除部材が構成される。
【００５５】
カッタ支持体４１におけるロック解除用突起４３の外側には、刃体保持部４４が設けられており、刃体４５が刃体保持部４４に保持されている。刃体保持部４４は、作動位置にあるカッタ支持体４１の下面側に設けられている。また、カッタ支持体４１における刃体保持部４４が設けられた位置には、刃体挿通孔４６が形成されている。刃体４５は、刃体挿通孔４６に圧入されてカッタ支持体４１に取り付けられ、刃体保持部４４に保持されている。
【００５６】
刃体４５では、図３に示すように、初期傷形成部材４０が作動位置にあるときに、前端部に刃体先が形成されており、後方にはテーパが付されている。刃体４５が圧入される刃体挿通孔４６は、カッタ支持体４１の延在方向に対して傾斜する方向に沿って形成されている。刃体４５は、刃体挿通孔４６に沿って圧入されているため、刃体４５の刃体先は、カッタ支持体４１の延在方向に対して傾斜する方向に沿っている。また、カッタ支持体４１の延在方向は、初期傷形成部材４０が作動位置にあるときに幅方向（左右方向）に沿った方向となる。このため、初期傷形成部材４０が作動位置にあるときには、刃体４５は、幅方向（左右方向）に対して傾斜した方向を向いている。
【００５７】
作動位置のカッタ支持体４１の右端部近傍における下側面には、高さ位置規制部となる嵌合突起４７が設けられている。嵌合突起４７は、ベース部材本体１１に形成されたカッタ支持体受部１８における一対の柱状体の離間距離と略同一の幅を有している。嵌合突起４７は、初期傷形成部材４０が作動位置または作動位置に近い位置にあるときにカッタ支持体受部１８に嵌合する。カッタ支持体４１に設けられた嵌合突起４７と、ベース部材本体１１に設けられたカッタ支持体受部１８とによって、刃体４５が光ファイバ２に当接する際のカッタ支持体４１の移動を案内する。また、嵌合突起４７がカッタ支持体受部１８に嵌合することにより、カッタ支持体４１を移動させたときの刃体４５の高さ位置が光ファイバ２の高さ位置に規制される。また、作動位置のカッタ支持体４１の右端部には、把手４８が設けられている。なお、ベース部材１０における光ファイバ位置決め部材１６の後方であって、初期傷形成位置にある刃体４５の下方位置に、図１に仮想線で示す光ファイバ２を載置するファイバ載置台１７を設けることもできる。ファイバ載置台１７は、ねじ挿通孔１７Ａに挿通したねじのねじ込みによってベース部材本体１１に取り付けることができる。ファイバ載置台１７は、ねじの締め付け、取り外しによって、ベース部材本体１１に対して脱着できる。
【００５８】
移動部材２０におけるスプリング収容孔２９に収容されたスプリング５０は、圧縮スプリングである。スプリング５０の長さは、移動部材２０が後退位置にあるときのスプリング収容孔２９の奥壁面と、ベース部材本体１１に設けられた反力壁１３Ｃとの間の距離よりも長くされている。このため、スプリング５０は、後退位置にある移動部材２０を前方に付勢している。
【００５９】
ファイバホルダ７０は、ベース部材本体１１におけるファイバホルダ設置部１９に設置可能とされている。光ファイバ２を切断する際には、光ファイバ２を延出状態で保持したファイバホルダ７０をファイバホルダ設置部１９に設置する。
【００６０】
次に、光ファイバカッタ１によって光ファイバ２を切断する手順について説明する。図８は、光ファイバを切断する工程を簡略化して説明する説明図である。光ファイバ２を切断する際には、まず、ベース部材本体１１におけるファイバホルダ設置部１９に対して、光ファイバ２を延出した状態で保持したファイバホルダ７０を載置する。このとき、移動部材２０は、前進位置に配置されている。また、スライダ蓋部２０Ｂは非クランプ状態とされ、初期傷形成部材４０は非作用位置に配置されている。
【００６１】
次に、図８（Ａ）に示すように、移動部材２０を後退位置まで移動させ、ベース部材本体１１に設けられた第１係止爪１５Ｂと、スライダ基台２１に設けられた第２係止爪２７Ｂとを係止させ、移動部材２０の前方への移動を規制する。こうして、移動部材２０がロックされる。続いて、非クランプ状態のスライダ蓋部２０Ｂをクランパ軸部材２２Ｂ周りに回動させて非クランプ状態からクランプ状態として、スライダ蓋部２０Ｂによって光ファイバ２をクランプする。
【００６２】
光ファイバ２をクランプしたら、図８（Ｂ）に示すように、非作動位置にある初期傷形成部材４０をカッタ軸部材１４Ｃ周りに回動させて非作動位置から作動位置に移動させる。初期傷形成部材４０の回動動作によって初期傷形成部材４０を非作動位置から作動位置に移動させる過程において、刃体４５が光ファイバ２に到達する前に、カッタ支持体４１に設けられたロック解除用突起４３が、第１係止部１５に設けられたロック解除用受側突起１５Ｃを押圧する。その結果、第１係止部１５がロック解除用突起４３に押し下げられ、第１係止爪１５Ｂと第２係止爪２７Ｂとの係止状態が解放され、移動部材２０に対する前方への移動の規制が解除される。
【００６３】
また、移動部材２０におけるスプリング収容孔２９には、圧縮スプリングであるスプリング５０が収容されており、スプリング５０は、ベース部材１０における反力壁１３Ｃに反力を得て移動部材２０を前方に付勢している。このため、移動部材２０には、前方に移動する力が作用するが、移動部材２０に設けられたスライダ蓋部２０Ｂが光ファイバ２をクランプしていることから、移動部材２０は前方へ移動することなく停止した状態を維持している。このとき、光ファイバ２には、スプリング５０の付勢力によって張力を加えた状態となる。
【００６４】
続いて、初期傷形成部材４０をさらに回動させると、図８（Ｃ）に示すように、初期傷形成部材４０における刃体４５が光ファイバ２に到達し、刃体４５が光ファイバ２に対して初期傷を形成する。張力を加えた状態の光ファイバ２に初期傷が形成されると、光ファイバ２は、初期傷が形成された部分から劈開して切断される。こうして、光ファイバ２の切断作業が終了する。
【００６５】
この初期傷形成部材４０が回動する工程のうち、移動部材２０がロック状態から解除され、光ファイバ２が切断されるまでの工程についてさらに説明する。図９は、ロック部材を解除する工程を簡略化して示す説明図である。移動部材２０がロック状態にあるときに初期傷形成部材４０がカッタ軸部材１４Ｃ周りに回動すると、図９（Ａ−１）に示すように、ロック解除用突起４３がロック解除用受側突起１５Ｃに向けて移動する。このとき、第１係止爪１５Ｂと第２係止爪２７Ｂとは係止された状態にある。また、図９（Ｂ−１）に示すように、刃体４５は、光ファイバ２に到達する前の状態にある。
【００６６】
続いて、初期傷形成部材４０がさらに回動すると、図９（Ａ−２）に示すように、ロック解除用突起４３がロック解除用受側突起１５Ｃを下方に向けて押圧する。ロック解除用受側突起１５Ｃは、第２係止部２７における支持ブロック２７Ａに形成された貫通孔２７Ｃに下側から挿入されている。ロック解除用突起４３は、貫通孔２７Ｃよりも一回り小さい大きさで貫通孔２７Ｃに進入可能とされている。このため、初期傷形成部材４０を回動させることにより、ロック解除用突起４３は、貫通孔２７Ｃに進入することで、ロック解除用受側突起１５Ｃに対して確実に当接することとなり、ロック解除用突起４３によってロック解除用受側突起１５Ｃを確実に押圧することができる。
【００６７】
ロック解除用突起４３によってロック解除用受側突起１５Ｃを押圧して、第１係止爪１５Ｂと第２係止爪２７Ｂとが係止状態から解放された位置までロック解除用受側突起１５Ｃを下降させても、図９（Ｂ−２）に示すように、刃体４５は光ファイバ２には、到達していない高い位置となっている。
【００６８】
また、スライダ基台２１に対しては、スプリング５０によって前方への付勢力が付されているが、図８（Ｂ）で示したように、スライダ本体２０Ａとスライダ蓋部２０Ｂが光ファイバ２をクランプすることにより、スライダ基台２１は、前方への移動が抑制されている。また、光ファイバ２には、スプリング５０の付勢力による張力が加えられる。
【００６９】
それから、さらに初期傷形成部材４０が回動すると、図９（Ｂ−１）に示すように、刃体４５が光ファイバ２に当接し、光ファイバ２は、劈開による切断が生じる。このとき、光ファイバ２の張力が解放されるので、スライダ基台２１は、前方に移動する。その後、光ファイバ２の切断作業が終了する。ここまでの一連の動作は、初期傷形成部材４０を回動させることのみによって行われる。
【００７０】
また、光ファイバ２の切断作業が終了した後、初期傷形成部材４０を作動位置から非作動位置に回動させる。この過程において、ロック解除用突起４３は、支持ブロック２７Ａに形成された貫通孔２７Ｃから抜き取られる。ロック解除用突起４３が抜き取られた後、スライダ基台２１は、スプリング５０の付勢力によってさらに前進して前進位置まで移動する。スライダ基台２１が前進位置まで移動したときには、ストッパ２８によって初期傷形成部材４０の作動位置までの移動、さらには作用位置までの移動が抑制されている。
【００７１】
このように、上記の光ファイバカッタ１では、移動部材２０を後退位置に移動させた後にロック部材によって移動部材２０の前方への移動を規制し、スライダ本体２０Ａとスライダ蓋部２０Ｂで光ファイバ２をクランプする。その後、初期傷形成部材４０を回動させると、まず、ロック部材による移動部材２０の前方への移動の規制が解除されて光ファイバ２に張力が付与される。続いて、さらに初期傷形成部材４０を回動させると、刃体４５が光ファイバ２に当接する。このため、光ファイバを切断するまでの作業を簡単にすることができ、作業の手順を間違えることなく光ファイバを切断することができる。
【００７２】
また、移動部材２０が後退位置の前方にある前進位置に配置されているときには、初期傷形成部材４０の回動は、ストッパ２８によって阻止されている。このため、移動部材２０が前進位置にあるときにおける光ファイバ２に対する刃体４５の当接を抑制することができるので、光ファイバ２に張力が加えられていない状態での初期傷の形成を抑制することができる。また、移動部材２０がストッパ２８を備えることにより、移動部材２０が前進位置に配置されることでストッパ２８を作動させることができる。
【００７３】
また、光ファイバ２に対する初期傷を付ける作業は、光ファイバ２に刃体４５を当接して。このため、刃体４５によって光ファイバ２に初期傷を付ける作業を繰り返すと、光ファイバ２との当接によって刃体４５は消耗する。光ファイバ２に初期傷を付ける際、初期傷形成部材４０は、同様の回動動作を繰り返すので、刃体４５における所定の当接位置の消耗が進み、ついには当該当接位置において光ファイバ２に初期傷を付ける初期傷付能力を喪失してしまう。
【００７４】
ここで、例えば、カッタ支持体４１が上下方向に移動する場合を想定する。この場合、刃体４５の光ファイバ２に対する当接位置は一定であるので、刃体４５における初期傷付能力を喪失した位置での光ファイバ２への当接が余儀なくされ、光ファイバ２を切断できなくなってしまう。
【００７５】
これに対して、上記の光ファイバカッタ１では、初期傷形成部材４０の非作動位置から作動位置への移動は、カッタ軸部材１４Ｃ周りのカッタ支持体４１の回動によって行われる。このため、例えば光ファイバ２に対する刃体４５の当接位置が消耗して切断能力を無くしたとしても、カッタ支持体４１が回動を進めると、光ファイバ２に対する刃体４５の当接位置が刃体４５の幅方向にスライド移動し、刃体４５における消耗が生じていない位置に光ファイバ２が当接する。この場合には、刃体４５における消耗が進んでない位置で光ファイバ２に初期傷を付けることができる。
【００７６】
このように、刃体４５における光ファイバ２への当接位置が初期傷付能力を喪失したとしても、光ファイバ２への当接位置は、刃体４５の幅方向に順次移動する。したがって、刃体４５における当接位置が初期傷付与能力を喪失したとしても、当接位置が新たな位置に更新されるので、刃体４５の使用可能期間の長期化に寄与することができる。
【００７７】
また、ロック部材は、第１係止部１５における第１係止爪１５Ｂと第２係止部２７における第２係止爪２７Ｂによって構成されている。このため、簡素な構成で移動部材２０の移動を規制することができる。また、ロック解除部材は、第１係止部１５に設けられたロック解除用受側突起１５Ｃと、カッタ支持体４１に設けられたロック解除用突起４３によって構成されている。このため、初期傷形成部材４０を回動させるのみで第１係止爪１５Ｂと第２係止爪２７Ｂとの係止状態を容易に解除することができる。
【００７８】
また、初期傷形成部材４０におけるカッタ支持体４１の先端には、嵌合突起４７が設けられており、嵌合突起４７は、ベース部材本体１１に設けられたカッタ支持体受部１８に嵌合可能とされている。嵌合突起４７がカッタ支持体受部１８に嵌合することにより、カッタ支持体４１を移動させたときの刃体４５の高さ位置が光ファイバ２の高さ位置に規制される。このため、光ファイバ２に初期傷を付ける際の刃体４５と光ファイバ２との距離を好適な距離とすることができる。
【符号の説明】
【００７９】
１…光ファイバカッタ、２…光ファイバ、１０…ベース部材、１１…ベース部材本体、１３…スライダ搭載部、１３Ｃ…反力壁、１５…第１係止部、１５Ａ…支持板、１５Ｂ…第１係止爪（ロック部材）、１５Ｃ…ロック解除用受側突起（ロック解除部材）、１８…カッタ支持体受部、１９…ファイバホルダ設置部、２０…移動部材、２０Ａ…スライダ本体、２０Ｂ…スライダ蓋部、２７…第２係止部、２７Ａ…支持ブロック、２７Ｂ…第２係止爪（ロック部材）、２７Ｃ…貫通孔、２８…ストッパ、４０…初期傷形成部材、４１…カッタ支持体、４３…ロック解除用突起（ロック解除部材）、４５…刃体、４６…刃体挿通孔、４７…嵌合突起（高さ位置規制部）、５０…スプリング（付勢部材）、７０…ファイバホルダ
【図１】
2018084660.tif 000003
【図２】
2018084660.tif 000004
【図３】
2018084660.tif 000005
【図４】
2018084660.tif 000006
【図５】
2018084660.tif 000007
【図６】
2018084660.tif 000008
【図７】
2018084660.tif 000009
【図８】
2018084660.tif 000010
【図９】
2018084660.tif 000011
【手続補正書】
【提出日】平成30年2月13日(2018.2.13)
【手続補正１】
【補正対象書類名】特許請求の範囲
【補正対象項目名】全文
【補正方法】変更
【補正の内容】
【特許請求の範囲】
【請求項１】
延出状態でファイバホルダに保持された光ファイバを切断する光ファイバカッタであって、
ベース部材と、
前記ファイバホルダから延出する前記光ファイバをクランプし、前記光ファイバの延在方向に沿って前進位置と後退位置との間で前記ベース部材に対して移動可能な移動部材と、
前記後退位置にある前記移動部材を前方に付勢する付勢部材と、
前記後退位置にある前記移動部材の前方への移動を規制するロック部材と、
前記光ファイバに初期傷を形成可能な刃体を支持し、前記光ファイバの延在方向に交差する方向に移動されることで、前記刃体によって前記光ファイバにおける前記ファイバホルダと前記移動部材との間の初期傷形成位置に前記初期傷を形成させるカッタ支持体と、
前記移動部材が前記前進位置にあるときに前記カッタ支持体を回動させた際、前記刃体が前記初期傷形成位置に到達する前に、前記ロック部材による前記移動部材の前方への移動の規制を解除するロック解除部材と、を有し、
前記光ファイバの延在方向に交差する方向への移動は、前記光ファイバの延出方向に沿った軸周りへの回動である光ファイバカッタ。
【請求項２】
延出状態でファイバホルダに保持された光ファイバを切断する光ファイバカッタであって、
ベース部材と、
前記ファイバホルダから延出する前記光ファイバをクランプし、前記光ファイバの延在方向に沿って前進位置と後退位置との間で前記ベース部材に対して移動可能な移動部材と、
前記後退位置にある前記移動部材を前方に付勢する付勢部材と、
前記後退位置にある前記移動部材の前方への移動を規制するロック部材と、
前記光ファイバに初期傷を形成可能な刃体を支持し、前記光ファイバの延在方向に交差する方向に移動されることで、前記刃体によって前記光ファイバにおける前記ファイバホルダと前記移動部材との間の初期傷形成位置に前記初期傷を形成させるカッタ支持体と、
前記移動部材が前記前進位置にあるときに前記カッタ支持体を移動させた際、前記刃体が前記初期傷形成位置に到達する前に、前記ロック部材による前記移動部材の前方への移動の規制を解除するロック解除部材と、を有し、
前記ロック部材は、前記ベース部材に設けられた第１係止部と、前記移動部材に設けられた第２係止部と、を備え、前記第１係止部と前記第２係止部とが係止して前記移動部材の前方への移動を規制し、
前記ロック解除部材は、前記カッタ支持体の移動に伴って前記第１係止部及び前記第２係止部のうちの少なくとも一方を押圧して前記第１係止部と前記第２係止部との係止を解除する光ファイバカッタ。
【請求項３】
延出状態でファイバホルダに保持された光ファイバを切断する光ファイバカッタであって、
ベース部材と、
前記ファイバホルダから延出する前記光ファイバをクランプし、前記光ファイバの延在方向に沿って前進位置と後退位置との間で前記ベース部材に対して移動可能な移動部材と、
前記後退位置にある前記移動部材を前方に付勢する付勢部材と、
前記後退位置にある前記移動部材の前方への移動を規制するロック部材と、
前記光ファイバに初期傷を形成可能な刃体を支持し、前記光ファイバの延在方向に交差する方向に移動されることで、前記刃体によって前記光ファイバにおける前記ファイバホルダと前記移動部材との間の初期傷形成位置に前記初期傷を形成させるカッタ支持体と、
前記移動部材が前記前進位置にあるときに前記カッタ支持体を移動させた際、前記刃体が前記初期傷形成位置に到達する前に、前記ロック部材による前記移動部材の前方への移動の規制を解除するロック解除部材と、を有し、
前記刃体が前記光ファイバに当接する際の高さ位置を規制する高さ位置規制部が形成されている光ファイバカッタ。